(57)【要約】【課題】広い分野にわたり利用可能な優れた効用を有すると共に、飲料水としても、また生活用水としても好適なπウォーターの美味しさを向上させ、水質の保持期間を長くすることで、πウォーターの利用範囲を飛躍的に広げることのできる量り売りのためのπウォーター製造システムを提供することを目的とする。【解決手段】水道水の不純物やカルキ分を除去するための前処理装置と、水をπ化処理するためのπ化処理装置と、π化処理後の不純物を除去するための後処理装置と、π化処理された水を貯留するための貯留タンクとで構成される量り売りのためのπウォーター製造システムにおいて、前記の貯留タンク内において、遠赤外線放射作用のあるセラミックス材が前記のπ化処理された水の中に浸漬するように設けられた量り売りのためのπウォーター製造システムである。【選択図】　　　図１
2004049932.tif 000002
【特許請求の範囲】
【請求項１】
水道水の不純物やカルキ分を除去するための前処理装置と、水をπ化処理するためのπ化処理装置と、π化処理後の不純物を除去するための後処理装置と、π化処理された水を貯留するための貯留タンクとで構成されるπウォーター製造システムにおいて、
前記の貯留タンク内において、遠赤外線放射作用のあるセラミックス材が前記のπ化処理された水の中に浸漬するように設けられていることを特徴とするπウォーター製造システム。
【請求項２】
前記の貯留タンク内において、麦飯石材が前記のπ化処理された水の中に浸漬するように設けられていることを特徴とする請求項１に記載のπウォーター製造システム。
【請求項３】
前記の前処理装置に軟水器が設けられていることを特徴とする請求項１又は請求項２に記載のπウォーター製造システム。
【請求項４】
前記のセラミックス材や麦飯石材の浸漬処理において、π化処理された水の中に８時間以上、浸漬されることを特徴とする請求項１から請求項３までのいずれかの項に記載のπウォーター製造システム。
【請求項５】
水道水の不純物やカルキ分を除去するための前処理装置と、水をπ化処理するためのπ化処理装置と、π化処理後の不純物を除去するための後処理装置と、π化処理された水を貯留するための貯留タンクとで構成されるπウォーター製造システムにおいて、
前記の貯留タンクにおいて、該タンク内のπ化処理された水を循環させるための循環ラインが設けられ、該循環ラインに、遠赤外線放射作用のあるセラミックス材層を有する処理装置が設けられていることを特徴とするπウォーター製造システム。
【請求項６】
前記の貯留タンクにおいて、該タンク内のπ化処理された水を循環させるための循環ラインが設けられ、該循環ラインに、麦飯石材層を有する処理装置が設けられていることを特徴とする請求項５に記載のπウォーター製造システム。
【発明の詳細な説明】
【０００１】
【発明の属する技術分野】
本発明は、水道水などの飲料水をπ化してπウォーターを製造するためのπウォーター製造システムに関し、特に水の美味しさを向上させ、水質の保持期間を長くすることを目的とするπウォーター製造システムに関するものである。
【０００２】
近年においては、環境汚染問題が取り沙汰される中、自然、健康ブームや、水道水源の水質への不安などから、飲料水に対する関心が急速に高まっており、ミネラルウォーター等の飲料水の消費量は、年々増加の一途をたどってきている。
【０００３】
ミネラルウォーターは、１９７０年代において業務用市場で販売されたことを始まりとして、マンションの貯水タンクの汚れや水道水の問題が報道されたことを契機にして、徐々に家庭用市場へも広がり始め、水不足による需要増や災害時の備蓄用への意識の高まりによって、一般家庭へと確実に浸透しており、今や日常生活には欠かせないものとなってきている。
【０００４】
ところが、これまでのミネラルウォーターの選択基準が、水道水源の水質に対する不安や不信感などから、単に水道水の代替品としてであったのに対し、近年は健康や美容を求めて健康飲料としての飲料水、に変わってきた。
【０００５】
それに伴い、家庭でも安全な水を飲めるように、様々な家庭用浄水器が開発されてきた。
【０００６】
これらの浄水器は、水の中に溶け込んでいる有害な物質や、不純物等の除去を目的とした濾過機能のみをもったものから、オゾンや紫外線による殺菌処理、電気分解等を利用するイオン化処理、超音波等を利用する電磁波処理等のような物理的、化学的処理を施したものまで様々である。
【０００７】
この物理的、化学的処理を施した水は、特定の機能をもたせた付加価値の高い水という意味で、機能水、活性水等と呼ばれている。
【０００８】
飲料水と健康への関心が高まるなか、水の研究も盛んに行なわれるようになり、医学的・科学的検証を経て、この機能水、活性水が体に有効に作用するという研究結果などが発表され、多くの疾患が治癒したことなどが報告されている。
【０００９】
さらに、生命科学の研究が進み、山下昭治農学博士によって、『二価三価鉄塩を２×１０マイナス１２乗モル含有する水』が発見され、この水はπウォーターと名づけられた。
【００１０】
πウォーターとは、「超微量の二価三価鉄塩に誘導された水」のことで、二価三価鉄塩は生体遺伝子に情報を伝達し、中性脂質との複合体であり、水と密接に関連して、遺伝子情報メモリーの役目を担っていることが解明された。
【００１１】
このπウォーターは、金属の防食、塩障害の除去、植物組織の再生、生体組織の保存、連鎖障害の改質、生体成分の非生物合成、防腐・防黴作用、抗ウイルス作用と制ガン作用など様々な分野において利用が期待されている。
【００１２】
πウォーターは、微量の二価三価鉄塩を水に溶かしこむか、媒体を使って水を活性化する方法で得ることができる。
【００１３】
この媒体は、π化セラミックスやπ化エアーなどが一般的であるが、この媒体に水を接触させることで、水が活性化し、πウォーターとなる。
【００１４】
これまで、この媒体を使ったπウォーター浄水器が数多く市販され、一般家庭においても手軽にπウォーターを作れ、多くの利用がなされるようなった。
【００１５】
しかし、πウォーター浄水器も長期間の使用によって徐々にその効果が薄れていき、その効果を維持するには二価三価鉄塩や媒体の交換など、種々のメンテナンスが必要となる。
【００１６】
各家庭において、この浄水器のメンテナンスを定期的に行い、常に品質の良いπウォーターを維持することは難しいため、πウォーターの製造販売を専門に行う量り売り業者が増えるようになった。
【００１７】
今では、このπウォーターの量り売り業者が全国に増え、いつでも高品質のπウォーターを買い求めることができる。
【００１８】
【発明が解決しようとする課題】
ところが、従来のπウォーターでは、一般家庭用の水道水と同様に、約１週間程経過すると、舌触りが悪くなり、味のまろやかさがなくなって不味くなる等、品質低下の兆候が見られ、約１ヶ月で雑菌等が繁殖したり、藻が生えてくるなどの問題があった。
【００１９】
これまでのπウォーターは、その品質を長期間保持することができなかった。
【００２０】
πウォーターは、これまで量り売りによっても販売されてきたが、その１回の販売量は、１０Ｌ乃至は２０Ｌ程度が主流であった。
【００２１】
これは、上記のように１週間程で品質が低下してしまうことによるものである。
【００２２】
πウォーターは、その特性から、飲料用に限定されるものではなく、日常生活における様々な利用において多くの効果が期待されるものであり、その使用量も必然的に増加することが考えられるわけであるが、多量のπウォーターを買い置きしておくには、あまりにも品質の保持期間が短く、結局小量を割高な価格で購入せざるを得なくなってしまう。
【００２３】
これまで、飲料水として作られてきたπウォーターであるが、今後は、生活用水として利用しても効果が期待される中、その需要は高まる一方であり、長期に品質の保持が可能なπウォーターが強く求められている。
【００２４】
本発明は、上記のような事情に鑑みてなされたもので、広い分野にわたり利用可能な優れた効用を有すると共に、飲料水としても、また生活用水としても好適なπウォーターの美味しさを向上させ、水質の保持期間を長くすることで、πウォーターの利用範囲を飛躍的に広げることのできるπウォーター製造システムを提供することを目的とするものである。
【００２５】
【課題を解決するための手段】
本発明のπウォーター製造システムは、上記の目的を達成するために、次の技術的手段を採用した。
【００２６】
請求項１は、水道水の不純物やカルキ分を除去するための前処理装置と、水をπ化処理するためのπ化処理装置と、π化処理後の不純物を除去するための後処理装置と、π化処理された水を貯留するための貯留タンクとで構成されるπウォーター製造システムにおいて、前記の貯留タンク内において、遠赤外線放射作用のあるセラミックス材が前記のπ化処理された水の中に浸漬するように設けられたπウォーター製造システムである。
【００２７】
セラミックス材には、遠赤外線という微弱な電磁波を放射するという性質がある。
【００２８】
セラミックス材を水道水の中に浸漬することにより、セラミックス材の持つ遠赤外線放射作用によって、水のクラスター（分子集団）を分解して小さくし、水分子の活性化を図ることができ、水を活性水に改質できる効果があると言われている。
【００２９】
また、セラミックス材には浄水作用があると同時に、セラミックス材に含まれるミネラル成分が溶出することで、ミネラルウォーター化できるという効果がある。
【００３０】
通常、π化処理装置は連続処理されるため、π化された水は、不安定な状態であり、貯留タンクにそのまま貯留される場合には、小さくなったクラスターが次第に元に戻ってしまう。
【００３１】
しかし、一定期間、セラミックス材に浸漬し続けると、小さくなったクラスターがその状態で安定状態となる。このため、π化状態を長期間持続することが可能となるものと思われる。
【００３２】
請求項２は、前記の貯留タンク内において、麦飯石材が前記のπ化処理された水の中に浸漬するように設けられたπウォーター製造システムである。
【００３３】
麦飯石は、花崗斑岩の一種で、無水珪酸を多量に含み、非常に多孔質であるので、水中の有害物質を麦飯石内部に物理的に吸着することができ、その対象は、水中のカルキ分（塩素）、水銀、カドミウム、シアン等有害物質から大腸菌などの細菌まで非常に広範囲に及んでいる。
【００３４】
また、生物にとって欠かすことのできないミネラル（微量元素）を水中に溶出させる機能もあり、水中のミネラル含有量に応じて過剰ミネラルを吸着し、不足ミネラルを溶出するミネラルのバランス調整も行うことができる。
【００３５】
しかも、麦飯石には、遠赤外線を放射し、水のクラスターを分解して小さくし、水素イオン、つまり水中の溶存酸素量を増加させ、酸素の多く含有されている活性水に変化させるという働きがある。
【００３６】
さらに、麦飯石には、α線が存在しており、遠赤外線や生体への好影響を与えるα線を放射することで、生体・植物にさまざまな好影響を与える。
【００３７】
この麦飯石を、貯留タンク内のπ化処理された水に浸漬させることによって、不純物や雑菌等を取り除き、また清浄化することもでき、且つミネラルのバランス調整も行い、一定期間浸漬することにより、π化状態を安定させ、長期間腐敗を防止することができるという効果がある。
【００３８】
請求項３は、前記の前処理装置に軟水器が設けられたπウォーター製造システムである。
【００３９】
例えば、沖縄県の水道水は、本土の水道水と比較して、カルシウム塩類及びマグネシウム塩類等が多く含まれており、いわゆる硬水に近い。
【００４０】
その硬水に近い沖縄の水道水を、そのままπ化処理すると、辛い味がしてまずいπウォーターになる。
【００４１】
そこで、軟水器に水道水を通すことによって、水道水中に含まれるカルシウム塩類及びマグネシウム塩類を除去することができる。
【００４２】
その軟水化した水道水をπ化処理することによって、美味しいπウォーターを得ることができるというものである。なお、π化処理した後に軟水処理すると、π化処理を不安定にし、π化作用が低下するため好ましくない。
【００４３】
請求項４は、前記のセラミックス材や麦飯石材の浸漬処理において、セラミックス材や麦飯石材が、π化処理された水の中に８時間以上、浸漬されたπウォーター製造システムである。
【００４４】
これまでのπ化処理装置によって作られたπウォーターは、１週間程経過すると、品質低下の兆候が見られた。
【００４５】
そこで、貯留タンク内で、π化処理された水が、セラミックス材と麦飯石材に接触する時間を長くすることで、さらに浄化、殺菌作用を高め、ミネラルバランスの調整と、π化処理の安定化を図り、πウォーターの効果を長期間持続するようにしたものである。浸漬時間が８時間以内では、水のクラスターが不安定な状態であり、元の大きな状態に戻りやすく、十分な安定化効果が期待できない。
【００４６】
請求項５は、前記の貯留タンクにおいて、該タンク内のπ化処理された水を循環させるための循環ラインが設けられ、該循環ラインに、遠赤外線放射作用のあるセラミックス材層を有する処理装置が設けられたπウォーター製造システムである。
【００４７】
請求項４記載の方法は、πウォーターの効果を長期間持続させるためであり、貯留タンク内でπ化処理された水は、自然対流によってセラミックス材と麦飯石材と接触するものであるが、このセラミックス材との接触を、より積極的に起こさせるために、セラミックス材層を循環ラインに設け、貯留タンク内のπ化処理された水を送水ポンプなどで強制的に循環させるようにしたものである。この強制循環により、より短時間でπ化処理を安定化させることが可能となる。
【００４８】
請求項６は、前記の貯留タンクにおいて、該タンク内のπ化処理された水を循環させるための循環ラインが設けられ、該循環ラインに、麦飯石材層を有する処理装置が設けられたπウォーター製造システムである。
【００４９】
前記同様、麦飯石材との接触を、より積極的に起こさせるために、麦飯石材層を循環ラインに設け、貯留タンク内のπ化処理された水を強制的に循環させるようにしたものである。
【００５０】
【発明の実施の形態】
以下に、本発明による実施の形態を図面を用いて説明する。
【００５１】
（１）は、従来のπウォーター製造システムを、図１（２）は、本発明における一実施例のブロック図をそれぞれ示す。
【００５２】
以下、図１（２）の順序で本発明における一実施例を説明する。
【００５３】
水道水の不純物やカルキ分を除去するための前処理装置は、軟水器とフィルターＡとで構成される。
【００５４】
水道水を軟水器で濾過することにより、水道水中に含まれるカルシウム塩類、及びマグネシウム塩類を除去することができる。
【００５５】
ここで使用する軟水器は、水道水中に含まれるのカルシウム塩類及びマグネシウム塩類を除去することが目的であるので、カルシウム塩類及びマグネシウム塩類を除去することができるものであれば、その軟水器の種類や性能は、特に限定されるものではない。
【００５６】
また、初めから、カルシウム塩類及びマグネシウム塩類の含有量の少ない、或いはカルシウム塩類及びマグネシウム塩類を含まない軟水を使用する場合は、軟水器を使わずとも効果は同じであるので、軟水器を省略しても良いものとする。
【００５７】
軟水器でカルシウム塩類及びマグネシウム塩類を除去された水道水は、フィルターＡに通水することによって、水道水中の塵や赤錆びなどの不純物が取り除かれる。
【００５８】
このフィルターＡは、不純物除去が目的であるので、その目的が達成されるものであれば、材質や大きさ、形など特に限定されるものではなく、例えば、カリウム、カルシウム、マグネシウムなどの必須ミネラル元素の大部分は通過することができる中空糸膜のフィルターでも良く、水道水中のミネラル成分を失うことなく、細菌や不純物を除去できる。
【００５９】
フィルターＡによって不純物を取り除かれた水道水は、π化処理装置によってπ化処理され、πウォーターとなる。
【００６０】
このπ化処理装置は、π化セラミックス材層と活性炭層とで構成される。
【００６１】
π化セラミックス材には、超微量の二価三価鉄塩が含有されたセラミックス材であり、水をπ化処理する。また、遠赤外線という微弱な電磁波を放射するという性質もある。
【００６２】
水道水がπ化セラミックス材層を通過する際に、π化セラミックス材の持つ遠赤外線放射作用によって、水のクラスター（分子集団）を分解して小さくし、水分子の活性化を図ることができ、二価三価鉄塩の作用により、水を活性水に改質できると言われている。
【００６３】
また、セラミックス材には浄水作用があると同時に、セラミックス材に含まれるミネラル成分が溶出することで、ミネラルウォーター化できるという効果がある。
【００６４】
これらの作用により、π化処理された水は、おいしいπウォーターと言われる活性水となるものと思われる。
【００６５】
また、活性炭には、水道水中のカルキ分（塩素）を除去する性質がある。
【００６６】
この塩素を除去する性質によって、水道水中のカビ臭、アンモニア臭、カルキ臭などの悪臭や不快な臭いを取り除き、きれいな水にする。水道水のカルキ含有量により、活性炭の量を調整すると良い。
【００６７】
また、活性炭は、殺菌力のある銀イオンをコーティングした銀イオン活性炭（抗菌活性炭）であっても良い。
【００６８】
さらに強い抗菌力を持たせるために、銀イオンに加えてカルシウムやマグネシウムなどの金属イオンをコーティングしても良い。
【００６９】
π化処理装置によってπ化処理されたπウォーターは、後処理装置によって不純物を取り除かれる。
【００７０】
後処理装置は、フィルターＢによって構成される。
【００７１】
フィルターＢによって、π化処理装置のセラミックス材や活性炭の破片などを除去する。
【００７２】
このフィルターＢは、セラミックス材や活性炭の破片などの除去が目的であるので、その目的が達成されるものであれば、材質や大きさ、形など特に限定されるものではなく、例えば、カリウム、カルシウム、マグネシウムなどの必須ミネラル元素の大部分は通過することができる中空糸膜のフィルターでも良く、水道水中のミネラル成分を失うことなく、細菌や不純物の除去できる。
【００７３】
後処理装置によって不純物を取り除かれたπウォーターは、貯留タンクで貯留される。
【００７４】
貯留タンク内には、πウォーターの効果を長期安定させるためのセラミックス材と麦飯石材とを浸漬されている。π化処理装置で連続的にπ化された処理水は、水のクラスターが小さくなっているが不安定であり、そのまま貯留すると、次第にもとの大きなクラスターにもどってしまう。このため、１週間程度しかそのπ化効果を維持できない。しかし、上記のように、セラミック材や麦飯石と一定期間浸漬させることにより、小さくなったクラスター状態が安定し、π化効果を長期間維持させることが可能となるものである。
【００７５】
セラミックス材と麦飯石材は、貯留タンクにそのまま沈めた状態で貯留タンク底部に置いても、該タンク内でπウォーターの自然対流によって接触は起こるが、πウォーターとの接触面積をさらに大きくして、積極的にπ化効果が得られるように、タンク内の中央部に吊るして設置してもよい。
【００７６】
また、セラミックス材や麦飯石材は、固形状態で設置しても良いが、積極的にπ化効果が得られるように、破砕片にして、網状の容器に充填した状態で貯留タンク内に吊るしたり、あるいは、貯留タンクタンク内に台などに固定して設置してもよい。
【００７７】
図２（１）は、貯留タンク１内にセラミックス材２と麦飯石材３を混在させて封入した通水性の容器４を吊り下げたものである。
【００７８】
通水性の容器４には、セラミックス材２：麦飯石材３＝２：１の比率で混在させて充填した。
【００７９】
麦飯石材３は、πウォーター５を更に清浄化することができ、長期間腐敗を防止することができるが、同じような効果が得られれば、例えば戸室石（医王石）のような長石類（正長石・斜長石など）、緑泥石等の岩石であっても良い。
【００８０】
これまでのπ化処理装置によって作られたπウォーターは、１週間程経過すると、品質低下の兆候が見られたことから、貯留タンク内にセラミックス材と麦飯石材を８時間以上浸漬させて、πウォーターがセラミックス材と麦飯石材に接触する時間を長くすることで、さらに浄化、殺菌作用を高め、ミネラルバランスの調整と安定化を図り、πウォーターの効果が長期間持続するようになる。
【００８１】
図２（２）は、貯留タンク１内のπウォーター５を循環させるための循環ライン６を設け、循環ライン上に、セラミックス材２層と麦飯石材３層を有する処理装置７を設けたものである。
【００８２】
該循環ライン６は、貯留タンク１の下部側面から導出させ、循環ポンプ８と、セラミックス材２と麦飯石材３の混合層を有する処理装置７とを配置し、貯留タンク１の上部側面に戻すように配管されたものである。
【００８３】
処理水の循環には、送水ポンプなどが使用できる。循環量は１０ｌ／ｍｉｎとした。
【００８４】
処理装置の構成は、セラミックスの破砕材層と、麦飯石層とを１：１の重量比で充填した。
【００８５】
送水ポンプにタイマー装置などを設けて循環処理時間をセットできるようにすると良い。
【００８６】
このように、πウォーターの効果をより一層大きくするために、πウォーターをセラミックス材層と麦飯石材層を通水するように循環させ、貯留タンク内で自然対流によって起こる接触よりも、さらにπ化効果の促進を図ることができる。
【００８７】
この処理水は、自然対流による接触処理の場合に比べて短時間に安定化できる。概ね４時間で安定化が可能となった。
【００８８】
〔実施例〕
【００８９】
次にπウォーターを量り売りするのに適したπウォーター製造システムの実施例について、図３を用いて説明する。
【００９０】
本πウォーター製造システムは、水道水の硬度を下げるための軟水器１０と、軟水化された水の不純物を除去するための前処理用フィルター装置１１と、カルキ分を除去するための活性炭層１２と、水をπ化するためのπ化セラミックス層１３を有する、π化処理装置１４と、π化処理後の不純物などを除去するための後処理用フィルター装置１５と、π化処理された水を貯留するための貯留タンク１６とで構成されている。
【００９１】
また、前記の貯留タンク１６内には、麦飯石とπ化セラミックスとが混合充填されたπ化安定器１７が処理水に浸漬するように吊り下げられている。
【００９２】
軟水器１０は、米国オンタリオ社製のイオン交換樹脂式軟水装置を用いた。前処理用フィルター装置１１は、濾過性能が１ミクロンである、ユニチカテクノス（株）製のワインドカートリッジフィルター式の濾過装置を用いた。また、π化処理装置１４には、活性炭１２が１５Ｋｇと、π化セラミックス１３が１５ｋｇ充填した。
【００９３】
後処理用フィルター装置１５は、濾過性能が１ミクロンである、ユニチカテクノス（株）製のワインドカートリッジフィルター式の濾過装置を使用した。貯留タンク１６は、市販されるステンレス製水タンクを用いた。容量は、１０００リッターのものを使用した。該水タンクの上部蓋より、π化安定器１７を吊り下げて取り付けた。該π化安定器１７は、ステンレス製の網容器の中に、麦飯石を０．５ｋｇと、π化セラミックス０．８ｋｇを混合して充填したものである。
【００９４】
〔比較例〕
【００９５】
π化状態の持続効果を検証するために、上記の実施例に示すπウォーター製造システムにおいて、π化処理され、さらにπ化安定器１７が設置された貯留タンク１６により、安定化処理された処理水と、
【００９６】
通常の貯留タンク（π化安定器１７を設置しない貯留タンク）を用いた場合の処理水とで同じ８時間、各々のタンク内で自然対流させ、その後の処理水の比較試験を行った。
【００９７】
その結果、通常の貯留タンクの処理水は、１週間までは、おいしく飲用できたが、２週間程度頃から、まろやかさが無くなり、１ヶ月程度で藻が発生し、飲用できる状態ではなくなった。これに対して、π化安定器が設けられた貯留タンク１６の処理水は、３ヶ月を経過しても、変化はなく、おいしく飲用することができた。
【００９８】
【発明の効果】
以上、詳細に説明した本発明では、以下に示すような効果がある。
【００９９】
１）セラミックス材の遠赤外線放射作用によって、水のクラスター（分子集団）を分解して小さくし、水分子の活性化を図り、さらに浄水作用と同時に、ミネラルウォーター化できるという効果がある。
【０１００】
２）麦飯石材によって、不純物や雑菌等を取り除き、また清浄化することもでき、且つミネラルのバランス調整も行い、長期間腐敗を防止することができるという効果がある。
【０１０１】
３）カルシウム塩類及びマグネシウム塩類を除去し、軟水化した水道水をπ化処理することで、美味しいπウォーターを製造することができる。
【０１０２】
４）πウォーターをセラミックス材及び麦飯石材と接触する時間を長くすることで、π化作用により小さくした水のクラスターを元に戻らないように安定化させることにより、πウォーターの効果を長期間持続させることが可能となる。
【０１０３】
５）πウォーターを循環させてセラミックス材と積極的に接触させることで、貯留タンク内に浸漬させて自然対流による接触よりも、遠赤外線放射作用による水のクラスターを小さくし、さらにπウォーターの効果の促進を図ることができる。
【０１０４】
６）πウォーターを循環させて麦飯石材と積極的に接触させることで、貯留タンク内に浸漬させて自然対流による接触よりも、浄化殺菌作用並びにミネラルバランス調整などの効果の促進を図ることができる。
【０１０５】
このように、本発明において製造したπウォーターは、約６ヶ月経過後であっても、その品質においてほとんど変化が見られず、味もまろやかに美味しく飲用することができる。
【０１０６】
また、長期間品質の持続が可能になることで、日常生活における生活用水としての利用がなされれば、例えばπウォーターを使って洗浄することにより、野菜その他の食品等の雑菌を死滅させ、または少なくとも雑菌の増殖能力を剥脱するなどの優れた作用効果を期待することができる。
【図面の簡単な説明】
【図１】従来のπウォーター製造システム（１）と本発明の一実施例（２）のブロック図である。
【図２】本発明による貯留タンクの実施例を示す図である。
【図３】本発明によるπウォーター製造システムの実施例を示す機器構成図である。
【符号の説明】
１　　貯留タンク
２　　セラミックス材
３　　麦飯石材
４　　容器
５　　πウォーター
６　　循環ライン
７　　処理装置
８　　循環ポンプ
１０　軟水器
１１　前処理用フィルター装置
１２　活性炭層
１３　π化セラミックス層
１４　π化処理装置
１５　後処理用フィルター装置
１６　貯留タンク
１７　π化安定器
【図１】
2004049932.tif 000003
【図２】
2004049932.tif 000004
【図３】
2004049932.tif 000005
【手続補正書】
【提出日】平成14年7月24日(2002.7.24)
【手続補正１】
【補正対象書類名】明細書
【補正対象項目名】全文
【補正方法】変更
【補正の内容】
【発明の詳細な説明】
【特許請求の範囲】
【請求項１】水道水の不純物やカルキ分を除去するための前処理装置と、水をπ化処理するためのπ化処理装置と、π化処理後の不純物を除去するための後処理装置と、π化処理された水を貯留するための貯留タンクとで構成される量り売りのためのπウォーター製造システムにおいて、
前記の貯留タンク内において、遠赤外線放射作用のあるセラミックス材が前記のπ化処理された水の中に浸漬するように設けられていることを特徴とする量り売りのためのπウォーター製造システム。
【請求項２】前記の貯留タンク内において、麦飯石材が前記のπ化処理された水の中に浸漬するように設けられていることを特徴とする請求項１に記載の量り売りのためのπウォーター製造システム。
【請求項３】前記の前処理装置に軟水器が設けられていることを特徴とする請求項１又は請求項２に記載の量り売りのためのπウォーター製造システム。
【請求項４】前記のセラミックス材や麦飯石材の浸漬処理において、π化処理された水の中に８時間以上、浸漬されることを特徴とする請求項１から請求項３までのいずれかの項に記載の量り売りのためのπウォーター製造システム。
【請求項５】水道水の不純物やカルキ分を除去するための前処理装置と、水をπ化処理するためのπ化処理装置と、π化処理後の不純物を除去するための後処理装置と、π化処理された水を貯留するための貯留タンクとで構成されるπウォーター製造システムにおいて、
前記の貯留タンクにおいて、該タンク内のπ化処理された水を循環させるための循環ラインが設けられ、該循環ラインに、遠赤外線放射作用のあるセラミックス材層を有する処理装置が設けられていることを特徴とする量り売りのためのπウォーター製造システム。
【請求項６】前記の貯留タンクにおいて、該タンク内のπ化処理された水を循環させるための循環ラインが設けられ、該循環ラインに、麦飯石材層を有する処理装置が設けられていることを特徴とする請求項５に記載の量り売りのためのπウォーター製造システム。
【発明の詳細な説明】
【０００１】
【発明の属する技術分野】
本発明は、水道水などの飲料水をπ化してπウォーターを製造するための量り売り用のπウォーター製造システムに関し、特に水の美味しさを向上させ、水質の保持期間を長くすることを目的とする量り売りのためのπウォーター製造システムに関するものである。
【０００２】
近年においては、環境汚染問題が取り沙汰される中、自然、健康ブームや、水道水源の水質への不安などから、飲料水に対する関心が急速に高まっており、ミネラルウォーター等の飲料水の消費量は、年々増加の一途をたどってきている。
【０００３】
ミネラルウォーターは、１９７０年代において業務用市場で販売されたことを始まりとして、マンションの貯水タンクの汚れや水道水の問題が報道されたことを契機にして、徐々に家庭用市場へも広がり始め、水不足による需要増や災害時の備蓄用への意識の高まりによって、一般家庭へと確実に浸透しており、今や日常生活には欠かせないものとなってきている。
【０００４】
ところが、これまでのミネラルウォーターの選択基準が、水道水源の水質に対する不安や不信感などから、単に水道水の代替品としてであったのに対し、近年は健康や美容を求めて健康飲料としての飲料水、に変わってきた。
【０００５】
それに伴い、家庭でも安全な水を飲めるように、様々な家庭用浄水器が開発されてきた。
【０００６】
これらの浄水器は、水の中に溶け込んでいる有害な物質や、不純物等の除去を目的とした濾過機能のみをもったものから、オゾンや紫外線による殺菌処理、電気分解等を利用するイオン化処理、超音波等を利用する電磁波処理等のような物理的、化学的処理を施したものまで様々である。
【０００７】
この物理的、化学的処理を施した水は、特定の機能をもたせた付加価値の高い水という意味で、機能水、活性水等と呼ばれている。
【０００８】
飲料水と健康への関心が高まるなか、水の研究も盛んに行なわれるようになり、医学的・科学的検証を経て、この機能水、活性水が体に有効に作用するという研究結果などが発表され、多くの疾患が治癒したことなどが報告されている。
【０００９】
さらに、生命科学の研究が進み、山下昭治農学博士によって、『二価三価鉄塩を２×１０マイナス１２乗モル含有する水』が発見され、この水はπウォーターと名づけられた。
【００１０】
πウォーターとは、「超微量の二価三価鉄塩に誘導された水」のことで、二価三価鉄塩は生体遺伝子に情報を伝達し、中性脂質との複合体であり、水と密接に関連して、遺伝子情報メモリーの役目を担っていることが解明された。
【００１１】
このπウォーターは、金属の防食、塩障害の除去、植物組織の再生、生体組織の保存、連鎖障害の改質、生体成分の非生物合成、防腐・防黴作用、抗ウイルス作用と制ガン作用など様々な分野において利用が期待されている。
【００１２】
πウォーターは、微量の二価三価鉄塩を水に溶かしこむか、媒体を使って水を活性化する方法で得ることができる。
【００１３】
この媒体は、π化セラミックスやπ化エアーなどが一般的であるが、この媒体に水を接触させることで、水が活性化し、πウォーターとなる。
【００１４】
これまで、この媒体を使ったπウォーター浄水器が数多く市販され、一般家庭においても手軽にπウォーターを作れ、多くの利用がなされるようなった。
【００１５】
しかし、πウォーター浄水器も長期間の使用によって徐々にその効果が薄れていき、その効果を維持するには二価三価鉄塩や媒体の交換など、種々のメンテナンスが必要となる。
【００１６】
各家庭において、この浄水器のメンテナンスを定期的に行い、常に品質の良いπウォーターを維持することは難しいため、πウォーターの製造販売を専門に行う量り売り業者が増えるようになった。
【００１７】
今では、このπウォーターの量り売り業者が全国に増え、いつでも高品質のπウォーターを買い求めることができる。
【００１８】
【発明が解決しようとする課題】
ところが、従来のπウォーターでは、一般家庭用の水道水と同様に、約１週間程経過すると、舌触りが悪くなり、味のまろやかさがなくなって不味くなる等、品質低下の兆候が見られ、約１ヶ月で雑菌等が繁殖したり、藻が生えてくるなどの問題があった。
【００１９】
これまでのπウォーターは、その品質を長期間保持することができなかった。
【００２０】
πウォーターは、これまで量り売りによっても販売されてきたが、その１回の販売量は、１０Ｌ乃至は２０Ｌ程度が主流であった。
【００２１】
これは、上記のように１週間程で品質が低下してしまうことによるものである。
【００２２】
πウォーターは、その特性から、飲料用に限定されるものではなく、日常生活における様々な利用において多くの効果が期待されるものであり、その使用量も必然的に増加することが考えられるわけであるが、多量のπウォーターを買い置きしておくには、あまりにも品質の保持期間が短く、結局小量を割高な価格で購入せざるを得なくなってしまう。
【００２３】
これまで、飲料水として作られてきたπウォーターであるが、今後は、生活用水として利用しても効果が期待される中、その需要は高まる一方であり、長期に品質の保持が可能なπウォーターが強く求められている。
【００２４】
本発明は、上記のような事情に鑑みてなされたもので、広い分野にわたり利用可能な優れた効用を有すると共に、飲料水としても、また生活用水としても好適なπウォーターの美味しさを向上させ、水質の保持期間を長くすることで、πウォーターの利用範囲を飛躍的に広げることのできる量り売りのためのπウォーター製造システムを提供することを目的とするものである。
【００２５】
【課題を解決するための手段】
本発明の量り売りのためのπウォーター製造システムは、上記の目的を達成するために、次の技術的手段を採用した。
【００２６】
請求項１は、水道水の不純物やカルキ分を除去するための前処理装置と、水をπ化処理するためのπ化処理装置と、π化処理後の不純物を除去するための後処理装置と、π化処理された水を貯留するための貯留タンクとで構成されるπウォーター製造システムにおいて、前記の貯留タンク内において、遠赤外線放射作用のあるセラミックス材が前記のπ化処理された水の中に浸漬するように設けられた量り売りのためのπウォーター製造システムである。
【００２７】
セラミックス材には、遠赤外線という微弱な電磁波を放射するという性質がある。
【００２８】
セラミックス材を水道水の中に浸漬することにより、セラミックス材の持つ遠赤外線放射作用によって、水のクラスター（分子集団）を分解して小さくし、水分子の活性化を図ることができ、水を活性水に改質できる効果があると言われている。
【００２９】
また、セラミックス材には浄水作用があると同時に、セラミックス材に含まれるミネラル成分が溶出することで、ミネラルウォーター化できるという効果がある。
【００３０】
通常、π化処理装置は連続処理されるため、π化された水は、不安定な状態であり、貯留タンクにそのまま貯留される場合には、小さくなったクラスターが次第に元に戻ってしまう。
【００３１】
しかし、一定期間、セラミックス材に浸漬し続けると、小さくなったクラスターがその状態で安定状態となる。このため、π化状態を長期間持続することが可能となるものと思われる。
【００３２】
請求項２は、前記の貯留タンク内において、麦飯石材が前記のπ化処理された水の中に浸漬するように設けられた量り売りのためのπウォーター製造システムである。
【００３３】
麦飯石は、花崗斑岩の一種で、無水珪酸を多量に含み、非常に多孔質であるので、水中の有害物質を麦飯石内部に物理的に吸着することができ、その対象は、水中のカルキ分（塩素）、水銀、カドミウム、シアン等有害物質から大腸菌などの細菌まで非常に広範囲に及んでいる。
【００３４】
また、生物にとって欠かすことのできないミネラル（微量元素）を水中に溶出させる機能もあり、水中のミネラル含有量に応じて過剰ミネラルを吸着し、不足ミネラルを溶出するミネラルのバランス調整も行うことができる。
【００３５】
しかも、麦飯石には、遠赤外線を放射し、水のクラスターを分解して小さくし、水素イオン、つまり水中の溶存酸素量を増加させ、酸素の多く含有されている活性水に変化させるという働きがある。
【００３６】
さらに、麦飯石には、α線が存在しており、遠赤外線や生体への好影響を与えるα線を放射することで、生体・植物にさまざまな好影響を与える。
【００３７】
この麦飯石を、貯留タンク内のπ化処理された水に浸漬させることによって、不純物や雑菌等を取り除き、また清浄化することもでき、且つミネラルのバランス調整も行い、一定期間浸漬することにより、π化状態を安定させ、長期間腐敗を防止することができるという効果がある。
【００３８】
請求項３は、前記の前処理装置に軟水器が設けられた量り売りのためのπウォーター製造システムである。
【００３９】
例えば、沖縄県の水道水は、本土の水道水と比較して、カルシウム塩類及びマグネシウム塩類等が多く含まれており、いわゆる硬水に近い。
【００４０】
その硬水に近い沖縄の水道水を、そのままπ化処理すると、辛い味がしてまずいπウォーターになる。
【００４１】
そこで、軟水器に水道水を通すことによって、水道水中に含まれるカルシウム塩類及びマグネシウム塩類を除去することができる。
【００４２】
その軟水化した水道水をπ化処理することによって、美味しいπウォーターを得ることができるというものである。なお、π化処理した後に軟水処理すると、π化処理を不安定にし、π化作用が低下するため好ましくない。
【００４３】
請求項４は、前記のセラミックス材や麦飯石材の浸漬処理において、セラミックス材や麦飯石材が、π化処理された水の中に８時間以上、浸漬された量り売りのためのπウォーター製造システムである。
【００４４】
これまでのπ化処理装置によって作られたπウォーターは、１週間程経過すると、品質低下の兆候が見られた。
【００４５】
そこで、貯留タンク内で、π化処理された水が、セラミックス材と麦飯石材に接触する時間を長くすることで、さらに浄化、殺菌作用を高め、ミネラルバランスの調整と、π化処理の安定化を図り、πウォーターの効果を長期間持続するようにしたものである。浸漬時間が８時間以内では、水のクラスターが不安定な状態であり、元の大きな状態に戻りやすく、十分な安定化効果が期待できない。
【００４６】
請求項５は、前記の貯留タンクにおいて、該タンク内のπ化処理された水を循環させるための循環ラインが設けられ、該循環ラインに、遠赤外線放射作用のあるセラミックス材層を有する処理装置が設けられた量り売りのためのπウォーター製造システムである。
【００４７】
請求項４記載の方法は、πウォーターの効果を長期間持続させるためであり、貯留タンク内でπ化処理された水は、自然対流によってセラミックス材と麦飯石材と接触するものであるが、このセラミックス材との接触を、より積極的に起こさせるために、セラミックス材層を循環ラインに設け、貯留タンク内のπ化処理された水を送水ポンプなどで強制的に循環させるようにしたものである。この強制循環により、より短時間でπ化処理を安定化させることが可能となる。
【００４８】
請求項６は、前記の貯留タンクにおいて、該タンク内のπ化処理された水を循環させるための循環ラインが設けられ、該循環ラインに、麦飯石材層を有する処理装置が設けられた量り売りのためのπウォーター製造システムである。
【００４９】
前記同様、麦飯石材との接触を、より積極的に起こさせるために、麦飯石材層を循環ラインに設け、貯留タンク内のπ化処理された水を強制的に循環させるようにしたものである。
【００５０】
【発明の実施の形態】
以下に、本発明による実施の形態を図面を用いて説明する。
【００５１】
（１）は、従来の量り売りのためのπウォーター製造システムを、図１（２）は、本発明における一実施例のブロック図をそれぞれ示す。
【００５２】
以下、図１（２）の順序で本発明における一実施例を説明する。
【００５３】
水道水の不純物やカルキ分を除去するための前処理装置は、軟水器とフィルターＡとで構成される。
【００５４】
水道水を軟水器で濾過することにより、水道水中に含まれるカルシウム塩類、及びマグネシウム塩類を除去することができる。
【００５５】
ここで使用する軟水器は、水道水中に含まれるのカルシウム塩類及びマグネシウム塩類を除去することが目的であるので、カルシウム塩類及びマグネシウム塩類を除去することができるものであれば、その軟水器の種類や性能は、特に限定されるものではない。
【００５６】
また、初めから、カルシウム塩類及びマグネシウム塩類の含有量の少ない、或いはカルシウム塩類及びマグネシウム塩類を含まない軟水を使用する場合は、軟水器を使わずとも効果は同じであるので、軟水器を省略しても良いものとする。
【００５７】
軟水器でカルシウム塩類及びマグネシウム塩類を除去された水道水は、フィルターＡに通水することによって、水道水中の塵や赤錆びなどの不純物が取り除かれる。
【００５８】
このフィルターＡは、不純物除去が目的であるので、その目的が達成されるものであれば、材質や大きさ、形など特に限定されるものではなく、例えば、カリウム、カルシウム、マグネシウムなどの必須ミネラル元素の大部分は通過することができる中空糸膜のフィルターでも良く、水道水中のミネラル成分を失うことなく、細菌や不純物を除去できる。
【００５９】
フィルターＡによって不純物を取り除かれた水道水は、π化処理装置によってπ化処理され、πウォーターとなる。
【００６０】
このπ化処理装置は、π化セラミックス材層と活性炭層とで構成される。
【００６１】
π化セラミックス材には、超微量の二価三価鉄塩が含有されたセラミックス材であり、水をπ化処理する。また、遠赤外線という微弱な電磁波を放射するという性質もある。
【００６２】
水道水がπ化セラミックス材層を通過する際に、π化セラミックス材の持つ遠赤外線放射作用によって、水のクラスター（分子集団）を分解して小さくし、水分子の活性化を図ることができ、二価三価鉄塩の作用により、水を活性水に改質できると言われている。
【００６３】
また、セラミックス材には浄水作用があると同時に、セラミックス材に含まれるミネラル成分が溶出することで、ミネラルウォーター化できるという効果がある。
【００６４】
これらの作用により、π化処理された水は、おいしいπウォーターと言われる活性水となるものと思われる。
【００６５】
また、活性炭には、水道水中のカルキ分（塩素）を除去する性質がある。
【００６６】
この塩素を除去する性質によって、水道水中のカビ臭、アンモニア臭、カルキ臭などの悪臭や不快な臭いを取り除き、きれいな水にする。水道水のカルキ含有量により、活性炭の量を調整すると良い。
【００６７】
また、活性炭は、殺菌力のある銀イオンをコーティングした銀イオン活性炭（抗菌活性炭）であっても良い。
【００６８】
さらに強い抗菌力を持たせるために、銀イオンに加えてカルシウムやマグネシウムなどの金属イオンをコーティングしても良い。
【００６９】
π化処理装置によってπ化処理されたπウォーターは、後処理装置によって不純物を取り除かれる。
【００７０】
後処理装置は、フィルターＢによって構成される。
【００７１】
フィルターＢによって、π化処理装置のセラミックス材や活性炭の破片などを除去する。
【００７２】
このフィルターＢは、セラミックス材や活性炭の破片などの除去が目的であるので、その目的が達成されるものであれば、材質や大きさ、形など特に限定されるものではなく、例えば、カリウム、カルシウム、マグネシウムなどの必須ミネラル元素の大部分は通過することができる中空糸膜のフィルターでも良く、水道水中のミネラル成分を失うことなく、細菌や不純物の除去できる。
【００７３】
後処理装置によって不純物を取り除かれたπウォーターは、貯留タンクで貯留される。
【００７４】
貯留タンク内には、πウォーターの効果を長期安定させるためのセラミックス材と麦飯石材とを浸漬されている。π化処理装置で連続的にπ化された処理水は、水のクラスターが小さくなっているが不安定であり、そのまま貯留すると、次第にもとの大きなクラスターにもどってしまう。このため、１週間程度しかそのπ化効果を維持できない。しかし、上記のように、セラミック材や麦飯石と一定期間浸漬させることにより、小さくなったクラスター状態が安定し、π化効果を長期間維持させることが可能となるものである。
【００７５】
セラミックス材と麦飯石材は、貯留タンクにそのまま沈めた状態で貯留タンク底部に置いても、該タンク内でπウォーターの自然対流によって接触は起こるが、πウォーターとの接触面積をさらに大きくして、積極的にπ化効果が得られるように、タンク内の中央部に吊るして設置してもよい。
【００７６】
また、セラミックス材や麦飯石材は、固形状態で設置しても良いが、積極的にπ化効果が得られるように、破砕片にして、網状の容器に充填した状態で貯留タンク内に吊るしたり、あるいは、貯留タンクタンク内に台などに固定して設置してもよい。
【００７７】
図２（１）は、貯留タンク１内にセラミックス材２と麦飯石材３を混在させて封入した通水性の容器４を吊り下げたものである。
【００７８】
通水性の容器４には、セラミックス材２：麦飯石材３＝２：１の比率で混在させて充填した。
【００７９】
麦飯石材３は、πウォーター５を更に清浄化することができ、長期間腐敗を防止することができるが、同じような効果が得られれば、例えば戸室石（医王石）のような長石類（正長石・斜長石など）、緑泥石等の岩石であっても良い。
【００８０】
これまでのπ化処理装置によって作られたπウォーターは、１週間程経過すると、品質低下の兆候が見られたことから、貯留タンク内にセラミックス材と麦飯石材を８時間以上浸漬させて、πウォーターがセラミックス材と麦飯石材に接触する時間を長くすることで、さらに浄化、殺菌作用を高め、ミネラルバランスの調整と安定化を図り、πウォーターの効果が長期間持続するようになる。
【００８１】
図２（２）は、貯留タンク１内のπウォーター５を循環させるための循環ライン６を設け、循環ライン上に、セラミックス材２層と麦飯石材３層を有する処理装置７を設けたものである。
【００８２】
該循環ライン６は、貯留タンク１の下部側面から導出させ、循環ポンプ８と、セラミックス材２と麦飯石材３の混合層を有する処理装置７とを配置し、貯留タンク１の上部側面に戻すように配管されたものである。
【００８３】
処理水の循環には、送水ポンプなどが使用できる。循環量は１０ｌ／ｍｉｎとした。
【００８４】
処理装置の構成は、セラミックスの破砕材層と、麦飯石層とを１：１の重量比で充填した。
【００８５】
送水ポンプにタイマー装置などを設けて循環処理時間をセットできるようにすると良い。
【００８６】
このように、πウォーターの効果をより一層大きくするために、πウォーターをセラミックス材層と麦飯石材層を通水するように循環させ、貯留タンク内で自然対流によって起こる接触よりも、さらにπ化効果の促進を図ることができる。
【００８７】
この処理水は、自然対流による接触処理の場合に比べて短時間に安定化できる。概ね４時間で安定化が可能となった。
【００８８】
〔実施例〕
【００８９】
次にπウォーターを量り売りするのに適したπウォーター製造システムの実施例について、図３を用いて説明する。
【００９０】
本πウォーター製造システムは、水道水の硬度を下げるための軟水器１０と、軟水化された水の不純物を除去するための前処理用フィルター装置１１と、カルキ分を除去するための活性炭層１２と、水をπ化するためのπ化セラミックス層１３を有する、π化処理装置１４と、π化処理後の不純物などを除去するための後処理用フィルター装置１５と、π化処理された水を貯留するための貯留タンク１６とで構成されている。
【００９１】
また、前記の貯留タンク１６内には、麦飯石とπ化セラミックスとが混合充填されたπ化安定器１７が処理水に浸漬するように吊り下げられている。
【００９２】
軟水器１０は、米国オンタリオ社製のイオン交換樹脂式軟水装置を用いた。前処理用フィルター装置１１は、濾過性能が１ミクロンである、ユニチカテクノス（株）製のワインドカートリッジフィルター式の濾過装置を用いた。また、π化処理装置１４には、活性炭１２が１５Ｋｇと、π化セラミックス１３が１５ｋｇ充填した。
【００９３】
後処理用フィルター装置１５は、濾過性能が１ミクロンである、ユニチカテクノス（株）製のワインドカートリッジフィルター式の濾過装置を使用した。貯留タンク１６は、市販されるステンレス製水タンクを用いた。容量は、１０００リッターのものを使用した。該水タンクの上部蓋より、π化安定器１７を吊り下げて取り付けた。該π化安定器１７は、ステンレス製の網容器の中に、麦飯石を０．５ｋｇと、π化セラミックス０．８ｋｇを混合して充填したものである。
【００９４】
〔比較例〕
【００９５】
π化状態の持続効果を検証するために、上記の実施例に示す量り売りのためのπウォーター製造システムにおいて、π化処理され、さらにπ化安定器１７が設置された貯留タンク１６により、安定化処理された処理水と、
【００９６】
通常の貯留タンク（π化安定器１７を設置しない貯留タンク）を用いた場合の処理水とで同じ８時間、各々のタンク内で自然対流させ、その後の処理水の比較試験を行った。
【００９７】
その結果、通常の貯留タンクの処理水は、１週間までは、おいしく飲用できたが、２週間程度頃から、まろやかさが無くなり、１ヶ月程度で藻が発生し、飲用できる状態ではなくなった。これに対して、π化安定器が設けられた貯留タンク１６の処理水は、３ヶ月を経過しても、変化はなく、おいしく飲用することができた。
【００９８】
【発明の効果】
以上、詳細に説明した本発明では、以下に示すような効果がある。
【００９９】
１）セラミックス材の遠赤外線放射作用によって、水のクラスター（分子集団）を分解して小さくし、水分子の活性化を図り、さらに浄水作用と同時に、ミネラルウォーター化できるという効果がある。
【０１００】
２）麦飯石材によって、不純物や雑菌等を取り除き、また清浄化することもでき、且つミネラルのバランス調整も行い、長期間腐敗を防止することができるという効果がある。
【０１０１】
３）カルシウム塩類及びマグネシウム塩類を除去し、軟水化した水道水をπ化処理することで、美味しいπウォーターを製造することができる。
【０１０２】
４）πウォーターをセラミックス材及び麦飯石材と接触する時間を長くすることで、π化作用により小さくした水のクラスターを元に戻らないように安定化させることにより、πウォーターの効果を長期間持続させることが可能となる。
【０１０３】
５）πウォーターを循環させてセラミックス材と積極的に接触させることで、貯留タンク内に浸漬させて自然対流による接触よりも、遠赤外線放射作用による水のクラスターを小さくし、さらにπウォーターの効果の促進を図ることができる。
【０１０４】
６）πウォーターを循環させて麦飯石材と積極的に接触させることで、貯留タンク内に浸漬させて自然対流による接触よりも、浄化殺菌作用並びにミネラルバランス調整などの効果の促進を図ることができる。
【０１０５】
このように、本発明において製造したπウォーターは、約６ヶ月経過後であっても、その品質においてほとんど変化が見られず、味もまろやかに美味しく飲用することができる。
【０１０６】
また、長期間品質の持続が可能になることで、日常生活における生活用水としての利用がなされれば、例えばπウォーターを使って洗浄することにより、野菜その他の食品等の雑菌を死滅させ、または少なくとも雑菌の増殖能力を剥脱するなどの優れた作用効果を期待することができる。
【図面の簡単な説明】
【図１】従来の量り売りのためのπウォーター製造システム（１）と本発明の一実施例（２）のブロック図である。
【図２】本発明による貯留タンクの実施例を示す図である。
【図３】本発明による量り売りのためのπウォーター製造システムの実施例を示す機器構成図である。
【符号の説明】
１　　貯留タンク
２　　セラミックス材
３　　麦飯石材
４　　容器
５　　πウォーター
６　　循環ライン
７　　処理装置
８　　循環ポンプ
１０　軟水器
１１　前処理用フィルター装置
１２　活性炭層
１３　π化セラミックス層
１４　π化処理装置
１５　後処理用フィルター装置
１６　貯留タンク
１７　π化安定器